(57)【要約】【課題】伸縮線材を簡単かつ容易に連結具に脱着して被固定材をガラス板に固定する。【解決手段】連結装置は、一対の連結具４と、伸縮線材５とを備える。連結具４は、パッキン１とガラス板３の間に挿入して回転できる太さの細線材からなり、この細線材は、連結ライン１０の先端部にガラス周縁係止部１１を、パッキン１からの露出部に脱着連結部１２を設けている。連結具４は、ガラス周縁係止部１１がガラス板３の外周縁に係止され、パッキン１でガラス板３の表面に押圧されて保持される。連結装置は、ガラス板３の対向部に連結された連結具４に伸縮線材５を連結して、ガラス板３と伸縮線材５との間に被固定材６を挟着する。伸縮線材５は、自由に変形できる連結リング２１を両端に有すると共に、それ自体が弾性的に伸縮できる伸縮性を有しており、両端に設けている連結リング２１を、ガラス板３の２カ所に連結された連結具４の脱着連結部１２に連結している。【選択図】図２
2012036680.tif 000002
【特許請求の範囲】
【請求項１】
ゴム状弾性体のパッキン(1)を介して外周を枠体(2)に固定してなるガラス板(3)の対向部に連結される一対の連結具(4)と、一対の連結具(4)に両端が連結される伸縮線材(5)とを備え、
前記連結具(4)は、パッキン(1)とガラス板(3)の間に挿入でき、かつパッキン(1)とガラス板(3)の間に挿入して回転できる太さの細線材からなり、この細線材は連結ライン(10)の先端部をＬ字状としてガラス板(3)の外周縁に係止されるガラス周縁係止部(11)を有し、さらに細線材はパッキン(1)からの露出部に伸縮線材(5)を連結する脱着連結部(12)を有し、
Ｌ字状の先端部がパッキン(1)とガラス板(3)の間に挿入される状態で回転されて、ガラス周縁係止部(11)がガラス板(3)の外周縁に係止され、ゴム状弾性体のパッキン(1)でもってガラス板(3)の表面に押圧されてガラス板(3)に連結状態に保持されるようにしており、
一対の連結具(4)がガラス板(3)の対向部に連結され、この連結具(4)に伸縮線材(5)を連結して、ガラス板(3)と伸縮線材(5)との間に被固定材(6)を挟着するようにしてなるガラス板(3)に被固定材(6)を装着する連結装置であって、
前記伸縮線材(5)が、自由に変形できる柔軟な連結リング(21)を両端に有すると共に、それ自体が弾性的に伸縮できる伸縮性を有し、
前記伸縮線材(5)の両端に設けている連結リング(21)が、ガラス板(3)の２カ所に連結してなる連結具(4)の脱着連結部(12)に連結されるようにしてなる連結装置。
【請求項２】
前記連結具(4)の脱着連結部(12)が、前記伸縮線材(5)の連結リング(21)に挿入されて連結できる係止部(15)を両側に突出して設けてなる請求項１に記載される連結装置。
【請求項３】
前記伸縮線材(5)が、ゴム状弾性体からなる弾性線材(20)の両端に連結リング(21)を連結してなる請求項１又は２に記載される連結装置。
【請求項４】
前記伸縮線材(5)のゴム状弾性体が、透光性のあるプラスチックである請求項３に記載される連結装置。
【請求項５】
前記伸縮線材(5)の連結リング(21)がゴム状弾性体の弾性リングである請求項１ないし４のいずれかに記載される連結装置。
【請求項６】
前記連結具(4)の脱着連結部(12)が、連結ライン(10)の後端部に固定してなる板材(16)を有し、この板材(16)が連結ライン(10)の両側に突出する係止部(15)を有する請求項１ないし５のいずれかに記載される連結装置。
【請求項７】
前記連結具(4)の脱着連結部(12)が、板材(16)の内部に、連結ライン(10)の後端部を板材(16)の表面に沿って折曲してなる折曲部(17)を有する請求項６に記載される連結装置。
【請求項８】
前記連結具(4)の連結ライン(10)の後端に、両側に突出する係止線材(19)を設けて係止部(15)としている請求項２に記載される連結装置。
【発明の詳細な説明】
【技術分野】
【０００１】
本発明は、ガラス板の表面にシート材などをセットする連結装置に関し、とくに、ガラス板の２カ所に連結具を引っ掛けて連結し、この連結具に両端を連結して、シート材などを固定する伸縮線材とからなる連結装置に関する。
【背景技術】
【０００２】
本発明者は、ガラス板の対向する位置に連結具を引っ掛けて連結し、この連結具に伸縮線材の両端を連結することで、伸縮線材でガラス板の表面に断熱材や遮光プレートを固定する連結装置を開発した。（特許文献１参照）
【０００３】
本発明者が先に開発した連結装置は、ガラス板に連結される連結具と、この連結具に両端を連結する伸縮線材とからなる。連結具は、ゴム状弾性体のパッキンを介して外周を枠体に固定しているガラス板の対向部に連結される。この連結具は、パッキンとガラス板の間に挿入でき、かつ、パッキンとガラス板の間に挿入して回転できる太さの線材からなる。線材は、先端部をＬ字状としてガラス板の外周縁に係止されるガラス周縁係止部を設けている。さらに、線材は、パッキンからの露出部に伸縮線材を連結する脱着連結部を設けている。以上の連結具は、Ｌ字状の先端部がパッキンとガラス板の間に挿入される状態で回転されて、ガラス周縁係止部がガラス板の外周縁に係止され、ゴム状弾性体のパッキンでもってガラス板の表面に押圧されてガラス板に連結状態に保持される。伸縮線材は、ガラス板の対向部に連結している一対の連結具にその両端を連結して、ガラス板と伸縮線材との間に断熱材や遮光プレート等の被固定材を挟着する。
【先行技術文献】
【特許文献】
【０００４】
【特許文献１】特開２００９−１９５３２３号公報
【発明の概要】
【発明が解決しようとする課題】
【０００５】
以上の連結装置は、簡単な構造としながら、ガラス板に確実に抜けないように連結できる。しかしながら、以上の連結装置は、連結具の後端にループ状の脱着連結部を設けて、ここに伸縮線材を結束し、あるいはフックを介して連結している。脱着連結部に結束する伸縮線材は、連結具に簡単に脱着できない。このため、ガラス板に固定するシートや板材の被固定材のデザインを変更し、あるいは、間に小さな虫や埃が侵入し、あるいは又結露や汚れ等が発生するときに、被固定材を簡単に脱着できない欠点がある。
【０００６】
また、フックを介して脱着連結部に連結する伸縮線材は、図１に示すように、断熱材のように厚い板材９６Ｂの被固定材９６をガラス板９３の内面に密着して固定するとき、被固定材９６の外周縁とガラス板９３の外周縁部との間に隙間９７を設ける必要があって、被固定材９６でガラス板９３の全面を覆うことができない欠点があった。さらに、フック９５Ａを連結具９４の脱着連結部９４Ａに引っ掛けて連結するので、この部分が厚くなって、引き違い窓を開くときに開かれる窓枠に当たって開くことができなくなる欠点もある。さらにまた、先端にフック９５Ａを連結している伸縮線材９５は、ゴム状弾性体として簡単に連結できるが、この伸縮線材９５は、被固定材９６を固定するときに、フック９５Ａを確実に脱着連結部９４Ａに係止できない状態となってこれが外れると、作業者に跳ね返って危険な状態となる欠点もある。
【０００７】
本発明は、さらに以上の欠点を解決することを目的に開発されたものである。本発明の重要な目的は、極めて簡単な構造としながら、伸縮線材を簡単かつ容易に、しかも速やかに連結具に脱着して、被固定材のデザインを簡単に変更でき、また間に侵入する小さな虫や埃を簡単に綺麗に除去でき、さらに、結露や汚れ等が発生するときには、被固定材を外して簡単に綺麗にできる連結装置を提供することにある。
【０００８】
また、本発明の他の大切な目的は、ガラス板の全面を覆うことができる大きくて厚い被固定材をも確実に固定でき、しかも伸縮線材を連結具に連結する部分を薄くして、引き違い窓をもスムーズに開くことができ、また、安全かつ確実に伸縮線材を脱着連結部に連結できる連結装置を提供することにある。
【課題を解決するための手段及び発明の効果】
【０００９】
本発明の連結装置は、ゴム状弾性体のパッキン１を介して外周を枠体２に固定してなるガラス板３の対向部に連結される一対の連結具４と、一対の連結具４に両端が連結される伸縮線材５とを備えている。連結具４は、パッキン１とガラス板３の間に挿入でき、かつパッキン１とガラス板３の間に挿入して回転できる太さの細線材からなり、この細線材は、連結ライン１０の先端部をＬ字状としてガラス板３の外周縁に係止されるガラス周縁係止部１１を有し、さらに細線材はパッキン１からの露出部に伸縮線材５を連結する脱着連結部１２を設けている。この連結具４は、Ｌ字状の先端部がパッキン１とガラス板３の間に挿入される状態で回転されて、ガラス周縁係止部１１がガラス板３の外周縁に係止され、ゴム状弾性体のパッキン１でもってガラス板３の表面に押圧されてガラス板３に連結状態に保持される。さらに、連結装置は、一対の連結具４をガラス板３の対向部に連結し、この連結具４に伸縮線材５を連結して、ガラス板３と伸縮線材５との間に被固定材６を挟着する。さらに、連結装置は、伸縮線材５が、自由に変形できる柔軟な連結リング２１を両端に有すると共に、それ自体が弾性的に伸縮できる伸縮性を有しており、伸縮線材５の両端に設けている連結リング２１を、ガラス板３の２カ所に連結してなる連結具４の脱着連結部１２に連結している。
【００１０】
以上の連結装置は、極めて簡単な構造としながら、伸縮線材を簡単かつ容易に、しかも速やかに連結具に脱着して、被固定材のデザインを簡単に変更でき、また間に侵入する小さな虫や埃を簡単に綺麗に除去でき、さらに、結露や汚れ等が発生するときには、被固定材を外して簡単に綺麗にできる特徴がある。それは、以上の連結装置の伸縮線材が、自由に変形できる柔軟な連結リングを両端に連結して、それ自体が弾性的に伸縮できる伸縮性を有するからである。この伸縮線材は、両端に設けている連結リングに、ガラス板の２カ所に連結している連結具の脱着連結部を挿通して簡単に連結できる。
【００１１】
また、以上の連結装置は、自由に変形できる柔軟な連結リングに脱着連結部を挿通して連結具に連結できるので、図１２に示すように、ガラス板の全面を覆うことができる大きくて厚い被固定材をも確実に固定できる。それは、柔軟な連結リングを被固定材の周縁に沿って変形して、被固定材をガラス板に固定できるからである。
【００１２】
さらにまた、以上の連結装置は、柔軟な連結リングを被固定材の表面に沿って変形できるので、伸縮線材を連結具に連結する部分を薄くして、引き違い窓をもスムーズに開くことができる特徴がある。また、連結リングをフックのように硬質な材料でなくて自由に変形できる柔軟な材質とするので、脱着連結部に引っ掛けるときに外れて、作業者に跳ね返っても危険な状態となることはなく、また、連結リングに脱着連結部を挿通して連結するので、安全にしかも確実に脱着連結部に連結できる特徴がある。
【００１３】
本発明の連結装置は、連結具４の脱着連結部１２が、伸縮線材５の連結リング２１に挿入されて連結できる係止部１５を両側に突出して設けることができる。
以上の連結装置は、連結リングに脱着連結部を挿通して、より確実に外れないように連結できる特徴がある。
【００１４】
本発明の連結装置は、伸縮線材５が、ゴム状弾性体からなる弾性線材２０の両端に連結リング２１を連結することができる。
以上の連結装置は、ゴム状弾性体の伸縮線材を弾性的に伸ばす状態で、被固定材をガラス板に密着するように固定できる。
【００１５】
本発明の連結装置は、伸縮線材５のゴム状弾性体を、透光性のあるプラスチックとすることができる。
以上の連結装置は、伸縮線材を目立たない状態としながら、被固定材をガラス板の表面に固定できる。
【００１６】
本発明の連結装置は、伸縮線材５の連結リング２１を、ゴム状弾性体の弾性リングとすることができる。
以上の連結装置は、連結リングをゴム状弾性体とするので、これを伸縮させながら、脱着連結部に確実に連結できる。
【００１７】
本発明の連結装置は、連結具４の脱着連結部１２が、連結ライン１０の後端部に固定してなる板材１６を有し、この板材１６が連結ライン１０の両側に突出する係止部１５を有することができる。
以上の連結装置は、より確実に安定して外れないように、連結リングを脱着連結部に連結できると共に、板材でもって連結具を簡単にガラス板に係止でき、さらに被固定材をガラス板に固定する状態では、板材をガラス板表面に沿うように配置して、薄く配置できる。
【００１８】
本発明の連結装置は、連結具４の脱着連結部１２が、板材１６の内部に、連結ライン１０の後端部を板材１６の表面に沿って折曲してなる折曲部１７を有することができる。
以上の連結装置は、連結ラインの後端部を確実に板材の内部に固定できる。とくに、連結ラインを回転しない状態で板材に固定して、連結具を確実にガラス板に脱着できる特徴がある。
【００１９】
本発明の連結装置は、連結具４の連結ライン１０の後端に、両側に突出する係止線材１９を設けて係止部１５とすることができる。
以上の連結装置は、連結ラインを折曲加工して脱着連結部の係止部とするので、連結具をより簡単な構造として安価に多量生産できる。
【図面の簡単な説明】
【００２０】
【図１】本発明者が先に開発した連結装置で厚い被固定材をガラス板の内面に固定する状態を示す拡大断面図である。
【図２】本発明の一実施例にかかる連結装置の使用例を示す一部拡大断面斜視図である。
【図３】図２に示す連結装置の拡大断面図である。
【図４】図２に示す連結装置の連結具を伸縮線材に連結する状態を示す拡大断面斜視図である。
【図５】図２に示す連結装置の連結具の斜視図である。
【図６】図５に示す連結具の平面図である。
【図７】図５に示す連結具の側面図である。
【図８】連結具の他の一例を示す斜視図である。
【図９】連結具の他の一例を示す斜視図である。
【図１０】連結具の他の一例を示す斜視図である。
【図１１】連結具の他の一例を示す斜視図である。
【図１２】本発明の一実施例にかかる連結装置の他の使用例を示す拡大断面図である。
【図１３】ガラス板の表面に挟着される被固定材の一例を示す正面図である。
【図１４】伸縮線材が被固定材をガラス板に挟着する一例を示す正面図である。
【図１５】伸縮線材が被固定材をガラス板に挟着する他の一例を示す正面図である。
【図１６】伸縮線材が被固定材をガラス板に挟着する他の一例を示す正面図である。
【図１７】伸縮線材が被固定材をガラス板に挟着する他の一例を示す正面図である。
【図１８】伸縮線材が被固定材をガラス板に挟着する他の一例を示す正面図である。
【図１９】伸縮線材が被固定材をガラス板に挟着する他の一例を示す正面図である。
【発明を実施するための形態】
【００２１】
以下、本発明の実施例を図面に基づいて説明する。ただし、以下に示す実施例は、本発明の技術思想を具体化するための連結装置を例示するものであって、本発明は連結装置を以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２２】
図２ないし図４に示す連結装置は、ゴム状弾性体のパッキン１を介して外周を枠体２に固定しているガラス板３の対向部に連結される一対の連結具４と、この連結具４に両端を連結している伸縮線材５とで被固定材６のシート材６Ａをガラス板３の室内側の表面に固定している。この図に示すように、連結具４は、主としてガラス板３の室内側からパッキン１の間に挿入されて、ガラス板３の室内側に被固定材６のシート材６Ａ等を固定する。ただ、本発明の連結装置は、ガラス板の室外側の表面からパッキンの間に連結具を挿入して、ガラス板の室外側に被固定材のシート材などを固定することもできる。
【００２３】
連結具４は、図５ないし図７に示すように、パッキン１とガラス板３の間に挿入でき、かつパッキン１とガラス板３の間に挿入して回転できる太さの細線材からなる。この細線材は、好ましくはピアノ線、ステンレス製のバネ線等の弾性金属線が使用される。ただ、弾性のない金属線も使用できる。さらに、金属線は、表面を被覆して錆びない処理をし、あるいはＳＵＳ３０４等の錆びないバネ線を使用することもできる。さらに、連結具４の細線材は、硬質プラスチック製の細線材も使用できる。細線材は、ガラス板３とパッキン１との間にスムーズに挿入して回転できる太さとする。細線材が太すぎると、ガラス板３とパッキン１との間に挿入するのが難しくなる。したがって、細線材の太さは、たとえば１．５ｍｍ以下、好ましくは１．２ｍｍ以下、さらに好ましくは１ｍｍ以下とする。細線材は細すぎると十分な強度を実現できない。したがって、細線材の太さは、たとえば０．３ｍｍ以上、好ましくは０．５ｍｍ以上とする。細線材の太さは、材質と用途を考慮して最適値に設定されるが、たとえば約０．８ｍｍ〜１ｍｍとして、ガラス板３とパッキン１の間にスムーズに挿入しながら十分な強度にできる。
【００２４】
連結具４は、直線状の連結ライン１０の先端部に、Ｌ字状に折曲してなるガラス周縁係止部１１を設けている。ガラス周縁係止部１１は、Ｌ字状に折曲されて、ガラス板３の外周縁に係止される。さらに、連結ライン１０の後端部は、パッキン１からの露出部に伸縮線材５を連結する脱着連結部１２を設けている。連結具４は、細線材を折曲加工して、連結ライン１０の先端にガラス周縁係止部１１を設け、さらに、連結ライン１０の後端部に脱着連結部１２を設けている。
【００２５】
図５ないし図７の連結具４は、ガラス周縁係止部１１の先端部をさらに内側に折曲する形状として、先端にロック片１３を設けている。ロック片１３は、図２ないし図４に示すように、ガラス板３の外側面に係止されて、ガラス周縁係止部１１を抜けないようにガラス板３の外周縁に係止する。このガラス周縁係止部１１は、ロック片１３で溝形に形成されるが、溝の内幅をガラス板３の厚さとして、ロック片１３の内側にガラス板３を案内して、ガラス周縁係止部１１を抜けないようにガラス板３の外周縁に引っかけて連結できる。とくに、連結具４は、パッキン１の弾性でもって、ガラス板３の表面に向かって弾性的に押圧されるので、ガラス周縁係止部１１は抜けないようにガラス板３の外周縁に係止される。
【００２６】
さらに、図５ないし図７の連結具４は、連結ライン１０の後端部に設けている脱着連結部１２を、回転阻止部１４に併用している。回転阻止部１４は、パッキン１から外部に露出する連結ライン１０の露出部、図において連結ライン１０の後端部に設けられる。回転阻止部１４は、ガラス周縁係止部１１をガラス板３の外周縁に係止させる状態で、ガラス板３の表面に沿う板状ないし線状で、連結ライン１０の両側に突出して設けられる。すなわち、回転阻止部１４は、ガラス周縁係止部１１を含む面内に対して直交する面内にあって、所定の横幅を有する形状とされる。回転阻止部１４がガラス板３の内面に沿う状態となって、ガラス板３の外周縁に係止されるガラス周縁係止部１１の回転が阻止される。したがって、回転阻止部１４を有する連結具４は、回転阻止部１４で連結ライン１０の回転が阻止されるので、ガラス周縁係止部１１をガラス板３の外周縁に係止する状態に保持できる。いいかえると、ガラス周縁係止部１１がガラス板３の表面と平行な状態となって、引っ掛け状態が解除されることがない。このため、回転阻止部１４でもって、常にガラス周縁係止部１１をガラス板３の外周縁に係止する状態に保持して、抜けないようにガラス板３に連結できる。
【００２７】
図５ないし図１１は、連結ライン１０の後端に、種々の脱着連結部１２を有する連結具４を示している。脱着連結部１２は、伸縮線材５の連結リング２１に外れないように連結される。脱着連結部１２は、連結ライン１０の両側に突出する係止部１５を有する。これらの連結具４は、連結ライン１０の後端部に設けている脱着連結部１２を回転阻止部１４に併用している。図５ないし図１０に示す脱着連結部１２は板状で、図１１の脱着連結部１２は連結ライン１０の両側に突出する線状としている。
【００２８】
図５ないし図１０に示す脱着連結部１２は、連結ライン１０の後端部に接着された板材１６を有し、この板材１６が連結ライン１０の両側に突出する係止部１５を構成している。この連結ライン１０は、後端部を板材１６の表面に沿って折曲して折曲部１７とし、この折曲部１７を板材１６に固定して、脱着連結部１２としている。折曲部１７は、２枚の板材１６に挟着して固定され、あるいは板材１６を成形するプラスチックに埋設されて、板材１６に固定されて、連結ライン１０の後端部に脱着連結部１２を設けている。
【００２９】
図５ないし図８に示す脱着連結部１２は、折曲部１７をループ状に折曲加工している。ループ状の折曲部１７は、板材１６の内部に強固に固定できる。折曲部１７は、図９に示すように、連結ライン１０の後端部を両側に突出するように折曲し、あるいは図１０に示すように、連結ライン１０の後端部を両側に突出するジグザグ状に折曲加工することもできる。さらに、図示しないが、連結ラインの後端部を板状にプレス加工して横幅を広くし、板状のプレス部を板材に固定して脱着連結部とすることもできる。板状のプレス部は、２枚の板材に挟着して固定され、あるいは、プラスチック製の板材に埋設する状態でインサート成形して固定される。
【００３０】
図５ないし図１０の脱着連結部１２の板材１６は、連結ライン１０の両側に、伸縮線材５の連結リング２１を外れないように引っ掛ける引っ掛け凹部１８を設けている。この脱着連結部１２は、引っ掛け凹部１８に連結リング２１を案内して、外れないように連結できる。ただ、引っ掛け凹部は必ずしも設ける必要はなく、連結ラインの両側に突出する脱着連結部に連結リングを引っ掛けて連結することもできる。
【００３１】
図５ないし図７の脱着連結部１２の板材１６は外形を円形として、図８の板材１６は外形を連結ライン１０の両側に長径を突出させる楕円形とし、図９の板材１６は外形を四角形とし、図１０の板材１６は矢の羽根の形状であって、前後の傾斜を逆向きとして、連結ライン１０の両側に引っ掛け凹部１８を設けている。
【００３２】
図１１の脱着連結部１２は、連結ライン１０の後端に、連結ライン１０の両側に突出する係止線材１９を設けて係止部１５としている。この係止線材１９は、連結ライン１０の細線材を折曲加工することで、細線材のみを使用して脱着連結部１２を設けることができる。
【００３３】
以上の連結具４は、図４の鎖線で示すように、後端の脱着連結部１２や回転阻止部１４をつかんで、図の矢印Ａで示すように、Ｌ字状の先端部をパッキン１とガラス板３の間に挿入する。このとき、ガラス周縁係止部１１をガラス板３と平行な姿勢として、ガラス板３とパッキン１との間に通過させる。ゴム状弾性体からなるパッキン１は変形して、ガラス周縁係止部１１をスムーズにガラス板３との間に通過させる。ガラス周縁係止部１１をガラス板３の外周縁まで挿入する状態で、回転阻止部１４や脱着連結部１２をつかんで、図の矢印Ｂで示すように９０度回転させると、ガラス周縁係止部１１がガラス板３の外周縁に係止される状態になる。この状態で、ゴム状弾性体のパッキン１は、細線材をガラス板３の表面に向かって押圧する。この連結状態にある連結具４は、パッキン１を室内側から室外側には貫通せず、パッキン１がガラス板３の防水を阻害することはない。
【００３４】
図２に示すように、一対の連結具４がガラス板３の対向部に連結されて、連結具４に伸縮線材５を連結して、ガラス板３と伸縮線材５との間に被固定材６を挟着する。図２はガラス板３の上下に連結具４を連結し、上下の連結具４に伸縮線材５の両端を連結して、伸縮線材５とガラス板３の間に被固定材６であるシート材６Ａを挟んで固定している。さらに、図２の連結装置は、ガラス板３の上下に各々２組の連結具４を連結して、２本の伸縮線材５で被固定材６のシート材６Ａをガラス板３の表面に挟着している。
【００３５】
伸縮線材５は、自由に変形できる柔軟な連結リング２１を両端に有すると共に、それ自体が弾性的に伸縮できる伸縮性を有する。伸縮線材５は、弾性線材２０の両端に連結リング２１を連結している。この伸縮線材５は、弾性線材２０を長くして、優れた伸縮性、すなわち伸縮できるストロークを大きくできる。ただし、伸縮線材は、伸縮しない線材の両端に、伸縮できる連結リングを連結して弾性的に伸縮できる構造とすることもできる。また、弾性線材の両端に伸縮できる連結リングを連結して、弾性線材と連結リングの両方で、伸縮線材の伸縮性を実現することもできる。
【００３６】
弾性線材２０は、ゴム状弾性体やコイルスプリング等の伸縮性を有する線材が使用できる。ゴム状弾性体の弾性線材２０は、透光性のあるプラスチックである。透光性のプラスチックには、シリコンゴムが最適である。シリコンゴムは耐候性があって透光性があるので、被固定材を固定する状態で、目立たない特徴がある。弾性線材には、透光性のプラスチックとしてウレタンゴムなども使用できる。
【００３７】
連結リング２１は、自由に変形できる柔軟な透明のプラスチック糸、細い金属線、ゴム状弾性体の糸などの線材が使用できる。透明のプラスチック糸には、テグスなどのナイロン糸が最適である。また、細い金属線には、０．１ｍｍ〜０．３ｍｍのステンレス線やピアノ線が使用できる。連結リング２１は、連結具４の脱着連結部１２を挿通できる大きさであって、線材の両端を弾性線材２０に固定してループ状としている。さらに、伸縮できる連結リング２１は、ゴム状弾性体からなる弾性リングとすることができる。
【００３８】
本発明の連結装置は、シート材などの被固定材６をガラス板３の表面に伸縮線材５で挟んで固定できるが、固定する被固定材６を特定しない。被固定材６には、たとえば、透明シート、半透明シート、不透明シート材等のシート材６Ａが使用され、または、所定の厚さの断熱シートなども使用できる。
【００３９】
図３は、本発明の連結装置が、被固定材６として、薄いシート材６Ａをガラス板３の表面に固定する一例を示している。この図に示すように、薄いシート材６Ａである被固定材６は、ガラス板３の表面に伸縮線材５で挟んで固定するだけでなく、シート材６Ａの端部を連結具４の露出部とガラス板３との間にも挟んで固定することができる。この構造は、シート材６Ａである被固定材６の外周縁とガラス板３の外周縁部との間にできる隙間をさらに狭くしながら、被固定材６をガラス板３に固定できる。したがって、薄いシート材をガラス板３の全面に隙間無く被覆することもできる。
【００４０】
さらに、本発明の連結装置は、図１２に示すように、被固定材６として、所定の厚さの断熱シート６Ｂをガラス板３の表面に固定することもできる。図の連結装置は、連結具４の連結ライン１０であって、パッキン１から突出する露出部を脱着連結部１２として、伸縮線材５の連結リング２１を連結している。この連結具４は、連結ライン１０の後端部に設けた板材１６の係止部に連結リング２１を係止することなく、連結リング２１に連結ライン１０を挿通し、この連結ライン１０を脱着連結部１２として連結リング２１を連結している。この構造は、伸縮線材５の連結リング２１を連結ライン１０に挿通すると共に、連結ライン１０の後端部をガラス板３の表面に被固定材６で挟んで固定することにより、すなわち、連結ライン１０の一方をパッキン１で、他方を被固定材６でガラス板３の表面に向かって押圧することにより、中間に挿通された連結リング２１が連結具４から外れるのを阻止している。伸縮線材５は、両端に設けた柔軟な連結リング２１を被固定材６の周縁に沿って変形させることで、所定の厚さの被固定材６の端部を連結リング２１で保持して、被固定材６をガラス板３に固定している。この構造も、所定の厚さの断熱シート６Ｂである被固定材６をガラス板３の全面に隙間無く被覆することができる。
【００４１】
さらに、本発明の連結装置は、複数枚のシート材を積層してガラス板３の表面に伸縮線材５とガラス板３とで挟んで互いに相対的にずらせることができる状態で挟着することができる。被固定材６である複数枚のシート材６Ａは、たとえば、図１３に示すように、同じピッチで複数の貫通孔３１のあるシート材６Ａを積層して、光や視認性をコントロールすることができる。それは、積層しているシート材６Ａの相対位置をずらせて、貫通孔３１を一致し、あるいは貫通孔３１の位置を異なる位置として、他方のシート材６Ａで貫通孔３１を閉塞できるからである。
【００４２】
伸縮線材５が被固定材６をガラス板３の表面に挟着する具体例を図１４ないし図１９に示している。図１４と図１５は、複数組の連結具４をガラス板の上下の対向位置に連結して、上下に伸びる複数の伸縮線材５で被固定材６をガラス板の表面に挟着している。図１６と図１７は、複数組の連結具４をガラス板の左右の対向位置に連結して、水平方向にのびる複数の伸縮線材５で被固定材６をガラス板の表面に挟着している。さらに、図１８の連結装置は、ガラス板の上下と左右の対向位置に複数組の連結具４を連結して、上下左右に伸びる複数の伸縮線材５で被固定材６をガラス板の表面に挟着する。さらにまた、図１９の連結装置は、ガラス板の隅部に対向して複数組の連結具４を連結して、ガラス板の四隅部に伸縮線材５を張りめぐらして、被固定材６をガラス板の表面に挟着する。以上の具体例は、種々の方向に伸縮線材５を張り巡らせて被固定材６をガラス板の表面に挟着するが、本発明の連結装置は、伸縮線材が被固定材をガラス板の表面に挟着する状態を特定するものではない。
【産業上の利用可能性】
【００４３】
本発明の連結具は、ガラス板の外周に連結されて、ガラス板などの表面に、透過光の調整シート、ガラス板の装飾材、広告媒体、種々の表示、断熱シートなどを固定するのに使用される。
【符号の説明】
【００４４】
１…パッキン
２…枠体
３…ガラス板
４…連結具
５…伸縮線材
６…被固定材              ６Ａ…シート材
６Ｂ…断熱シート
１０…連結ライン
１１…ガラス周縁係止部
１２…脱着連結部
１３…ロック片
１４…回転阻止部
１５…係止部
１６…板材
１７…折曲部
１８…引っ掛け凹部
１９…係止線材
２０…弾性線材
２１…連結リング
３１…貫通孔
９３…ガラス板
９４…連結具              ９４Ａ…脱着連結部
９５…伸縮線材            ９５Ａ…フック
９６…被固定材            ９６Ｂ…板材
９７…隙間
【図１】
2012036680.tif 000003
【図２】
2012036680.tif 000004
【図３】
2012036680.tif 000005
【図４】
2012036680.tif 000006
【図５】
2012036680.tif 000007
【図６】
2012036680.tif 000008
【図７】
2012036680.tif 000009
【図８】
2012036680.tif 000010
【図９】
2012036680.tif 000011
【図１０】
2012036680.tif 000012
【図１１】
2012036680.tif 000013
【図１２】
2012036680.tif 000014
【図１３】
2012036680.tif 000015
【図１４】
2012036680.tif 000016
【図１５】
2012036680.tif 000017
【図１６】
2012036680.tif 000018
【図１７】
2012036680.tif 000019
【図１８】
2012036680.tif 000020
【図１９】
2012036680.tif 000021